(57)【要約】【課題】  意匠上の美観性に優れ、かつ、安全性上も問題のない建築用コーナー材を提供する。【解決手段】  左右のフランジ１１，１２が交叉部１３で交叉し、表面がパテを塗布する塗布面として形成された建築用のコーナー材１において、左右のフランジ１１，１２における交叉部１３の外側の外面交叉角βを、交叉部１３の内側の内面交叉角αより大きくするとともに、外面交叉角βを９０°以上とした構成としてある。左右のフランジ１１，１２における交叉部１３の肉厚ｔ１を他の部位の肉厚ｔ２よりも大きくし、交叉部１３とフランジ１１，１２との境界に段差部１４を形成し、交叉部１３の外側を、左右の段差部１４，１４と交叉部１３の頂部又はその近傍を通る円弧面として形成するとよい。【選択図】  図２
2020169520.tif 000002
【特許請求の範囲】
【請求項１】
左右のフランジが交叉部で交叉し、表面がパテを塗布する塗布面として形成された建築用のコーナー材において、
左右の前記フランジにおける前記交叉部の外側の外面交叉角βを、前記交叉部の内側の内面交叉角αより大きくするとともに、外面交叉角βを９０°以上としたこと、
を特徴とする建築用コーナー材。
【請求項２】
左右の前記フランジにおける前記交叉部の肉厚を他の部位の肉厚よりも大きくし、前記交叉部と前記フランジとの境界に段差部を形成し、前記交叉部の外側を、前記交叉部の頂部と左右の前記段差部の上端又はこれよりも前記頂部寄りの部分とを通る円弧面として形成したこと、
を特徴とする請求項１に記載の建築用コーナー材。
【請求項３】
前記段差部を左右の前記フランジのパテの掻き取り部としたことを特徴とする請求項２に記載の建築用コーナー材。
【請求項４】
外面交叉角βが９０°〜９６°で、内面交叉角αが８２°〜８８°であることを特徴とする請求項１〜３のいずれかに記載の建築用コーナー材。
【請求項５】
前記交叉部の外面及び内面を円弧面として形成した場合に、前記外面の半径が４ｍｍ〜１０ｍｍであることを特徴とする請求項２〜４のいずれかに記載の建築用コーナー材。
【発明の詳細な説明】
【技術分野】
【０００１】
本発明は、建築物の屋内出隅コーナーに内装仕上材を施工する際に、その下地として壁面上に配される建築用コーナー材に関する。
【背景技術】
【０００２】
この種の建築用コーナー材としては、特許文献１に記載のものが知られている。この文献に記載の建築用コーナー材は、左右のフランジの内面同士のなすフランジの内面側の交叉角αを９０°以下、好ましくは９０度よりわずかに鋭角の８７〜８８度程度にすることで、コーナー下地材を出隅コーナーにあてたときに、自由端側が壁面から浮かずにフィットするようにしている。
【０００３】
この文献に記載の建築用コーナー材においては、例えば段落００１９に記載されているように、左右のフランジの肉厚が、自由端に向かうに従って減少するように形成されていること、左右のパテヘラガイドの延長線が、出隅コーナーの壁面に徐々に近づくように形成されていることから、フランジの外面側の交叉角βは、内面の交叉角αより小さく（鋭角に）なる。すなわち、文献１に記載の建築用コーナー材においては、図４に示すように、左右のフランジ１１２，１１１が交叉する交叉部１１３における内面１１３ｂの交叉角（内面交叉角）αと外面１１３ａの交叉角（外面交叉角）βとの関係が、α＞βになるわけである。
【先行技術文献】
【特許文献】
【０００４】
【特許文献１】特許第６２４１９５４号公報（明細書の段落００１９〜００２１の記載参照）
【発明の開示】
【発明が解決しようとする課題】
【０００５】
しかし、この文献に記載の建築用コーナー材においては、外面交叉角βが鋭角となるため、施工の際の安全性が問題となるうえ、意匠上も美観性にも劣るという問題がある。
【０００６】
本発明はこのような問題点を解決すべくなされたもので、意匠上の美観性に優れ、かつ、安全性上も問題のない建築用コーナー材の提供を目的とする。
【課題を解決するための手段】
【０００７】
上記の目的を達成するためには、外面交叉角βを９０°又はこれ以上の鈍角とすればよい。すなわち、本発明は、請求項１に記載するように、建築用コーナー材は、左右のフランジが交叉部で交叉し、表面がパテを塗布する塗布面として形成された建築用のコーナー材において、左右の前記フランジにおける前記交叉部の外側の外面交叉角βを、前記交叉部の内側の内面交叉角αより大きくするとともに、外面交叉角βを９０°以上としてある。
ここで、上記のような従来のコーナー材においては、一般に、左右のフランジの肉厚が自由端に向かうに従って減少するように形成されているため、図４に示すように外面交叉角βを９０°以上にするには内面交叉角αをこれよりも大きくしなければならず、コーナー材が壁面やコーナーに密着しにくくなるという問題がある。
そこで本発明では、外面交叉角βを内面交叉角αより大きくするために、請求項２に記載するように、左右の前記フランジにおける前記交叉部の肉厚を他の部位の肉厚よりも大きくし、前記交叉部と前記フランジとの境界に段差部を形成し、前記交叉部の外側を、前記交叉部の頂部と左右の前記段差部の上端又はこれよりも前記頂部寄りの部分とを通る円弧面として形成するとよい。
【０００８】
このようにすれば、円弧の径を大小調整することで、外面交叉角βを９０°以上の適宜の角度に設定することが容易になる。また、前記段差部は、請求項３に記載するようにパテの掻き取り部とすることができる。
内面交叉角α及び外面交叉角βの具体的な数値としては、請求項４に記載するように、外面交叉角β＝９０°以上、９６°以下を挙げることができ、この場合の内面交叉角α＝８２°以上、８８°以下を挙げることができる。また、請求項５に記載するように、前記交叉部の外面の半径は４ｍｍ〜１０ｍｍ程度を挙げることができる。
【０００９】
本発明は上記のように構成されているので内面交叉角αよりも外面交叉角βを大きくかつ９０°以上にすることが容易にでき、かつ、その角度調整も容易である。そのため、意匠上の美観性に優れ、かつ、安全性上も問題のない建築用コーナー材を得ることができる。
【発明を実施するための最良の形態】
【００１０】
以下、本発明の好適な実施形態を、図面を参照しながら詳細に説明する。
図１は本発明の一実施形態にかかる建築用コーナー材（以下、コーナー材と略記する）の概略図で、一部を破断したコーナー材の全体斜視図、図２（ａ）は図１のコーナー材をＩ方向から視た拡大正面図、（ｂ）は（ａ）におけるＡ部の拡大図である。
【００１１】
図１、２に示すように、本発明のコーナー材１は、左右のフランジ（右フランジ１１及び左フランジ１２）と、この左右のフランジ１１，１２が交叉する交叉部１３とを有している。フランジ１１，１２には、その表面に塗布されるパテがコーナー材１及び壁面に良好に保持されるように、多数の貫通孔１１ａ（左フランジのものは図に現れない）が形成されている。
図２に示すように、左右のフランジ１１，１２は、特許文献１に記載のコーナー材と同様に交叉部１３から自由端に向かうほど肉厚ｔ２が減少するように形成されている。典型的なコーナー材１としては、左右のフランジ１１，１２の幅Ｌが２８〜２９ｍｍ程度のものを挙げることができる。また、交叉部１３側の肉厚ｔ２としては０．５〜２ｍｍ程度、自由端の肉厚ｔ２としては０．２〜１．５ｍｍ程度を挙げることができる。
【００１２】
フランジ１１，１２の交叉部１３は他の部位より肉厚に形成されていて、フランジ１１，１２の基部と交叉部１３との間の肉厚が変化する部分には、前記基部からほぼ垂直に立ち上がる段差部１４が形成されている。この段差部１４は、フランジ１１，１２の表面にパテを塗る際のパテ切り部として機能する。段差部１４の高さとして、０．４〜０．５ｍｍ程度を挙げることができる。そして、左右の段差部１４，１４の上端と交叉部１３の頂部との三点を結ぶ円弧によって交叉部１３の外面が形成される。この実施形態において外面交叉角βは、左右の段差部１４の上端を通る前記円弧の接線の交叉角に等しい。なお、交叉部１３の頂部における肉厚ｔ１は、フランジ１１，１２のｔ２の最大肉厚よりも大きく、１ｍｍ以上とするのが好ましい。外面交叉角βの半径Ｒβは４〜１０ｍｍ程度を目安とすることができる。
【００１３】
また、この実施形態では、交叉部１３の内面１３ｂの内面交叉角αが、外面１３ａの外面交叉角βよりも小さくなるように、フランジ１１，１２を交叉させている。外面交叉角βは９０°程度、好ましくは８８°〜９２°程度とすることができ、内面交叉角αは８６°〜８８°程度とすることができる。内面１３ｂの円弧の半径Ｒαは１．５ｍｍ程度を目安とすることができる。
【００１４】
図３は、本発明のコーナー材の作用を説明する図で、コーナー材を積み重ねた状態を示す正面図である。
本発明のコーナー材１を複数積み重ねると、上下のコーナー材１の交叉部１３の外面１３ａと内面１３ｂとの間及び左右のフランジ１１，１２の間に隙間が形成されるため、複数積み重ねたコーナー材１を取り出しやすくなるほか、円弧状である程度の幅がある交叉部１３によって安定的に積み重ねられ、荷くずれ等を起こす可能性が低くなる。
また、本発明のコーナー材１，２は、上記したように内面交叉角αと外面交叉角βの関係がα＜βとなるようにしているので、交叉部１３が鈍角となり、安全性の問題が低減されるうえ、意匠的美観も向上する。
【００１５】
本発明の好適な実施形態について説明したが、本発明は上記の説明により限定されるものではない。
例えば、上記の説明で具体的な数値を挙げて説明した交叉部１３の頂部の肉厚ｔ１や左右のフランジ１２，１２の肉厚ｔ２、左右のフランジ１２，１２の幅Ｌは一例であり、これ以外の寸法のコーナー材にも本発明を適用することは可能である。また、交叉部１３の外面は、左右の段差部１４の上端を通る前記円弧面であるとして説明したが、外面交叉角βを内面交叉角αよりも大きくでき、かつ、交叉部１３の頂部における肉厚ｔ１を一定以上（上記の説明では１ｍｍ以上）にできるのであれば、左右の段差部１４の上端よりも交叉部１３の頂部寄りの部分を通る円弧面であってもよい。
【産業上の利用可能性】
【００１６】
本発明は、建物の壁面のコーナー部に取り付けられる建築用コーナー材に広範に適用が可能である。
【図面の簡単な説明】
【００１７】
【図１】本発明の一実施形態にかかる建築用コーナー材（以下、コーナー材と略記する）の概略図で、一部を破断したコーナー材の全体斜視図である。
【図２】図２（ａ）は図１のコーナー材をＩ方向から視た拡大正面図、（ｂ）は（ａ）におけるＡ部の拡大図である。
【図３】本発明のコーナー材の作用を説明する図で、コーナー材を積み重ねた状態を示す正面図である。
【図４】従来のコーナー材を説明する図で交叉部の拡大正面図である。
【符号の説明】
【００１８】
１：（建築用）コーナー材
１１，１２：フランジ
１１ａ：貫通孔
１３：交叉部
１３ａ：交叉部の内面
１３ｂ：交叉部の外面
１４：段差部
α：内面交叉角
β：外面交叉角
【図１】
2020169520.tif 000003
【図２】
2020169520.tif 000004
【図３】
2020169520.tif 000005
【図４】
2020169520.tif 000006
【手続補正書】
【提出日】平成31年4月5日(2019.4.5)
【手続補正１】
【補正対象書類名】明細書
【補正対象項目名】００１３
【補正方法】変更
【補正の内容】
【００１３】
また、この実施形態では、交叉部１３の内面１３ｂの内面交叉角αが、外面１３ａの外面交叉角βよりも小さくなるように、フランジ１１，１２を交叉させている。外面交叉角βは９０°程度、好ましくは９０°〜９６°程度とすることができ、内面交叉角αは８２°〜８８°程度とすることができる。内面１３ｂの円弧の半径Ｒαは１．５ｍｍ程度を目安とすることができる。
【手続補正書】
【提出日】令和1年10月19日(2019.10.19)
【手続補正１】
【補正対象書類名】特許請求の範囲
【補正対象項目名】全文
【補正方法】変更
【補正の内容】
【特許請求の範囲】
【請求項１】
左右のフランジが交叉部で交叉し、表面がパテを塗布する塗布面として形成された建築用のコーナー材において、 
左右の前記フランジにおける前記交叉部の肉厚を他の部位の肉厚よりも大きくし、
前記交叉部と前記フランジとの境界に段差部を形成し、
前記交叉部の外側を円弧面として形成し、
前記円弧面の曲率は、左右の前記フランジにおける前記段差部の上端と前記交叉部の頂部とを通る円弧の半径であるとともに、左右の段差部の上端を通る前記円弧の接線の交叉角である外面交叉角βは９０°以上で、かつ、前記左右のフランジの前記交叉部を除く内面の延長線の交叉角である内面交叉角α（＜９０°）より大きくしたこと、
を特徴とする建築用コーナー材。 
【請求項２】
前記段差部を左右の前記フランジのパテの掻き取り部としたことを特徴とする請求項１に記載の建築用コーナー材。 
【請求項３】
外面交叉角βが９０°〜９６°で、内面交叉角αが８２°〜８８°であることを特徴とする請求項１又は２に記載の建築用コーナー材。 
【請求項４】
前記交叉部の外面及び内面を円弧面として形成した場合に、前記外面の半径が４ｍｍ〜１０ｍｍであることを特徴とする請求項１〜３のいずれかに記載の建築用コーナー材。 
【手続補正２】
【補正対象書類名】明細書
【補正対象項目名】０００７
【補正方法】変更
【補正の内容】
【０００７】
上記の目的を達成するためには、外面交叉角βを９０°又はこれ以上の鈍角とすればよい。一方において上記のような従来のコーナー材においては、一般に、左右のフランジの肉厚が自由端に向かうに従って減少するように形成されているため、図４に示すように外面交叉角βを９０°以上にするには内面交叉角αをこれよりも大きくしなければならず、コーナー材が壁面やコーナーに密着しにくくなるという問題がある。そこで、請求項１に記載の発明は、左右のフランジが交叉部で交叉し、表面がパテを塗布する塗布面として形成された建築用のコーナー材において、左右の前記フランジにおける前記交叉部の肉厚を他の部位の肉厚よりも大きくし、前記交叉部と前記フランジとの境界に段差部を形成し、前記交叉部の外側を円弧面として形成し、前記円弧面の曲率は、左右の前記フランジにおける前記段差部の上端と前記交叉部の頂部とを通る円弧の半径であるとともに、左右の段差部の上端を通る前記円弧の接線の交叉角である外面交叉角βは９０°以上で、かつ、前記左右のフランジの前記交叉部を除く内面の延長線の交叉角である内面交叉角α（＜９０°）より大きくした構成としてある。 
【手続補正３】
【補正対象書類名】明細書
【補正対象項目名】０００８
【補正方法】変更
【補正の内容】
【０００８】
このようにすれば、円弧の径を大小調整することで、外面交叉角βを内面交叉角α（＜９０°）より大きくしつつ９０°以上の適宜の角度に設定することが容易になる。また、前記段差部は、請求項２に記載するようにパテの掻き取り部とすることができる。 内面交叉角α及び外面交叉角βの具体的な数値としては、請求項３に記載するように、外面交叉角β＝９０°以上、９６°以下を挙げることができ、この場合の内面交叉角α＝８２°以上、８８°以下を挙げることができる。また、請求項４に記載するように、前記交叉部の外面の半径は４ｍｍ〜１０ｍｍ程度を挙げることができる。